(57)【要約】【課題】鑑賞環境に合わせた表示部の表示制御パラメータを決定する電子カメラを提供する。【解決手段】被写体を撮像し撮像信号を出力する撮像素子と、前記撮像素子から出力される撮像信号に応じた表示用画像を表示媒体に表示させる表示制御部と、前記撮像素子から出力される撮像信号に基づいて鑑賞環境情報を判定する環境情報判定部と、前記鑑賞環境情報に基づいて前記表示制御部が前記表示用画像を表示する場合の表示制御パラメータを決定する決定部とを備える。【選択図】図１
2013026760.tif 000002
【特許請求の範囲】
【請求項１】
被写体を撮像し撮像信号を出力する撮像素子と、
前記撮像素子から出力される撮像信号に応じた表示用画像を表示媒体に表示させる表示制御部と、
前記撮像素子から出力される撮像信号に基づいて鑑賞環境情報を判定する環境情報判定部と、
前記鑑賞環境情報に基づいて前記表示制御部が前記表示用画像を表示する場合の表示制御パラメータを決定する決定部と
を備えることを特徴とする電子カメラ。
【請求項２】
表示用画像の表示媒体への表示を制御する表示制御部と、
自己の移動を判定する移動判定部と、
環境情報を検出する環境情報検出部と、
前記移動判定部により移動が判定されたときに前記環境情報から前記鑑賞環境情報を判定する環境情報判定部と、
前記鑑賞環境情報に基づいて前記表示制御部が前記表示用画像を表示する場合の表示制御パラメータを決定する決定部と
を備えることを特徴とする電子カメラ。
【請求項３】
前記環境情報検出部は、被写体を撮像し撮像信号を出力する撮像素子であることを特徴とする請求項２に記載の電子カメラ。
【請求項４】
前記環境情報検出部は、表示媒体の近傍に配置されることを特徴とする請求項２または請求項３に記載の電子カメラ。
【請求項５】
前記環境情報判定部は、前記表示制御部が前記表示用画像の表示を行っている場合に前記鑑賞環境情報を判定することを特徴とする請求項１〜請求項４の何れか一項に記載の電子カメラ。
【請求項６】
前記表示用画像の表示は再生モードでの画像表示であることを特徴とする請求項５に記載の電子カメラ。
【請求項７】
前記環境情報判定部は、前記表示制御部が静止画像の表示を行っている場合には次の静止画像が表示される際に前記鑑賞環境情報を判定することを特徴とする請求項６に記載の電子カメラ。
【請求項８】
前記鑑賞環境情報または前記表示制御パラメータを表示媒体を有する外部機器に送信する送信部を備えることを特徴とする請求項１〜請求項７の何れか一項に記載の電子カメラ。
【請求項９】
前記表示制御パラメータの決定を有効にするか無効にするかを選択する選択部を備えることを特徴とする請求項１〜請求項８の何れか一項に記載の電子カメラ。
【請求項１０】
前記環境情報は、前記鑑賞環境の光源の色温度及び照度のうちの少なくとも一つであることを特徴とする請求項１〜請求項９の何れか一項に記載の電子カメラ。
【請求項１１】
前記表示制御パラメータは、ガンマ特性、コントラスト値、ブライトネス値及びバックライトの輝度のうちの少なくとも一つであることを特徴とする請求項１〜請求項１０の何れか一項に記載の電子カメラ。
【発明の詳細な説明】
【技術分野】
【０００１】
本発明は、電子カメラに関するものである。
【背景技術】
【０００２】
従来、撮像時に視認した色温度等と略同じ色温度等で画像を再生する画像再生機能を有する撮像装置が存在する（例えば、特許文献１参照）。この撮像装置によれば、撮像装置の経年変化に左右されることなく画像を再生することができる。
【先行技術文献】
【特許文献】
【０００３】
【特許文献１】特開２００７−１３５０３２号公報
【発明の概要】
【発明が解決しようとする課題】
【０００４】
しかし、上述の撮像装置においては、画像再生時における照明光の色温度や室内の照度等を表示部の表示制御パラメータに反映させることはできないため、鑑賞者が画像を鑑賞する際に違和感を感じる場合があった。
【０００５】
本発明の目的は、鑑賞環境に合わせた表示部の表示制御パラメータを決定する電子カメラを提供することである。
【課題を解決するための手段】
【０００６】
本発明の電子カメラは、被写体を撮像し撮像信号を出力する撮像素子と、前記撮像素子から出力される撮像信号に応じた表示用画像を表示媒体に表示させる表示制御部と、前記撮像素子から出力される撮像信号に基づいて鑑賞環境情報を判定する環境情報判定部と、前記鑑賞環境情報に基づいて前記表示制御部が前記表示用画像を表示する場合の表示制御パラメータを決定する決定部とを備えることを特徴とする。
【０００７】
また、本発明の電子カメラは、表示用画像の表示媒体への表示を制御する表示制御部と、自己の移動を判定する移動判定部と、環境情報を検出する環境情報検出部と、前記移動判定部により移動が判定されたときに前記環境情報から前記鑑賞環境情報を判定する環境情報判定部と、前記鑑賞環境情報に基づいて前記表示制御部が前記表示用画像を表示する場合の表示制御パラメータを決定する決定部とを備えることを特徴とする。
【発明の効果】
【０００８】
本発明によれば、鑑賞環境に合わせた表示部の表示制御パラメータを決定する電子カメラを提供することができる。
【図面の簡単な説明】
【０００９】
【図１】第１の実施の形態に係る電子カメラのシステム構成を示すブロック図である。
【図２】第１の実施の形態に係る電子カメラの画像再生処理を示すフローチャートである。
【図３】第１の実施の形態に係る電子カメラにおいて鑑賞環境情報を判定するためのテーブルの内容を示す図である。
【図４】第１の実施の形態に係る電子カメラにおいて表示制御パラメータを決定するためのテーブルの内容を示す図である。
【図５】第２の実施の形態に係るテレビのシステム構成を示すブロック図である。
【発明を実施するための形態】
【００１０】
以下、図面を参照して第１の実施の形態に係る電子カメラについて説明する。図１は実施の形態に係る電子カメラのシステム構成を示すブロック図である。電子カメラ２は、電子カメラ２の各部を統括的に制御するＣＰＵ１０を備え、ＣＰＵ１０には鏡筒部１２内に設けられた複数のレンズ１２ａ内の一部のレンズを光軸方向と直交する方向に移動させることにより手振れ補正を行う第１アクチュエータ１４、被写体を撮像して撮像信号を生成するＣＣＤまたはＣＭＯＳ等により構成される撮像素子１６、撮像素子１６を光軸方向と直交する方向に移動させることにより手振れ補正を行う第２アクチュエータ１７、操作部１８、カメラ本体の背面に設けられたＬＣＤ表示部２０の表示制御を行う表示制御部２２、撮像素子１６から出力された撮像信号を図示しないＡ／Ｄ変換部においてデジタルのデータに変換することにより生成された撮像データを一時的に記憶する記憶部２４、撮像された記録用の画像データ（以下、記録画像データと略す。）を記憶するメモリカード２６を装着するメモリカードスロット２８、撮像等に関する処理を行うためのプログラム及び後述する鑑賞環境情報の判定や表示制御パラメータの決定を行う際に用いるテーブル等を記憶するプログラムメモリ３０、画像データに対してガンマ補正やコントラスト補正等の画像処理を行う画像処理部３１、表示用の画像データを格納するＶＲＡＭ３２、電子カメラ２に作用する角加速度を計測する角加速度センサ３３及びＧＰＳ衛星から受信した信号に基づいて自己位置を測定するＧＰＳ３４及びテレビ等の外部表示装置に対して記録画像データを出力する通信部３６が接続されている。ここで、操作部１８には、レリーズボタン、再生モードを設定する再生ボタン、再生モードを終了する終了ボタン、ＬＣＤ表示部２０に次の画像を表示させる送りボタン、ＬＣＤ表示部２０に前の画像を表示させる戻しボタン等が含まれている。また、角加速度センサ３３により検出された角加速度は、鏡筒部１２内の一部のレンズを用いた手振れ補正、撮像素子１６を用いた手振れ補正に使用される他、後述の電子カメラ２の移動の判定に用いられる。
【００１１】
次に、図２に示すフローチャートを参照して実施の形態に係る電子カメラ２による画像再生処理について説明する。まず、ＣＰＵ１０は、操作者により再生ボタンが操作され、再生モードが設定されると（ステップＳ１）、撮像素子１６を一時的にオン（撮像素子１６に電力供給が行われる状態）にして撮像データを取得する（ステップＳ２）。そして、ＣＰＵ１０は、撮像素子１６から出力された撮像データを記憶部２４に記憶し（ステップＳ３）、撮像素子１６をオフ（撮像素子１６への電力供給が遮断される状態）にする（ステップＳ４）。
【００１２】
次に、ＣＰＵ１０は、記憶部２４に記憶している撮像データを読み出し、撮像データに基づいて、鑑賞環境（操作者等がＬＣＤ表示部２０に表示された画像を鑑賞する際の環境）における環境情報である光源の色温度及び照度を計測する。次に、ＣＰＵ１０は、図３に示す、色温度及び照度と鑑賞環境を示すパラメータである鑑賞環境情報とを対応づけたテーブルをプログラムメモリ３０から読み出し、このテーブルを用いて色温度及び照度に基づく鑑賞環境情報を判定する（ステップＳ５）。例えば、ＣＰＵ１０は、計測した色温度が３，０００（Ｋ）であり、照度が１００（ｌｘ）であった場合、鑑賞環境情報をＫＫＪ１であると判定する。同様に、ＣＰＵ１０は、計測した色温度が５，３００（Ｋ）であり、照度が２０，０００（ｌｘ）であった場合、鑑賞環境情報をＫＫＪ２であると判定し、また、計測した色温度が１５，０００（Ｋ）であり、照度が１５０，０００（ｌｘ）であった場合、鑑賞環境情報をＫＫＪ３であると判定する。ここで、図３に示すように、ＫＫＪ１は、操作者が電球色系の照明がある室内等の鑑賞環境に置かれていることを示すパラメータである。また、ＫＫＪ２は、操作者が日中の太陽光の下等の鑑賞環境に置かれていることを示すパラメータであり、ＫＫＪ３は、操作者が青空の下等の鑑賞環境に置かれていることを示すパラメータである。
【００１３】
次に、ＣＰＵ１０は、判定した鑑賞環境情報に基づいてＬＣＤ表示部２０の表示制御を行う表示制御パラメータを決定する（ステップＳ６）。即ち、ＣＰＵ１０は、図４に示す、鑑賞環境情報と表示制御パラメータとを対応づけたテーブルをプログラムメモリ３０から読み出し、このテーブルを用いて鑑賞環境情報に基づいて表示制御パラメータである、ＬＣＤ表示部２０のガンマ補正を行うためのγ（ガンマ）特性、コントラスト調整を行うためのコントラスト値、ブライトネス調整を行うためのブライトネス値及びＬＣＤ表示部２０を背面から照射する図示しないバックライトの輝度を決定する。
【００１４】
例えば、ＣＰＵ１０は、鑑賞環境情報がＫＫＪ１であった場合、即ち、計測した色温度が２，９００〜３，１００（Ｋ）の範囲内であり、計測した照度が５０〜１，０００（ｌｘ）の範囲内であった場合には、標準よりも明部の明るさを抑えるようにγ特性を決定し、また、コントラスト値を標準値の１．１倍にし、ブライトネス値を標準値よりも低くする。なお、バックライトの輝度の補正は行わない。また、鑑賞環境情報がＫＫＪ２であった場合、即ち、計測した色温度が５，２００〜５，５００（Ｋ）の範囲内であり、計測した照度が１０，０００〜３２，０００（ｌｘ）の範囲内であった場合には、γ特性、コントラスト値、ブライトネス値及びバックライトの輝度をすべて標準値にする。また、鑑賞環境情報がＫＫＪ３であった場合、即ち、計測した色温度が１０，０００〜２０，０００（Ｋ）の範囲内であり、計測した照度が１００，０００（ｌｘ）以上であった場合には、標準よりも暗部を明るくするようにγ特性を決定し、また、コントラスト値を標準値の０．９倍にし、ブライトネス値及びバックライトの輝度を標準値よりも高くする。
【００１５】
次に、ＣＰＵ１０は、ＬＣＤ表示部２０がオンされていない場合には（ステップＳ７：Ｎｏ）、表示制御部２２を制御してＬＣＤ表示部２０をオンにし（ステップＳ８）、メモリカードスロット２８に装着されているメモリカード２６に記憶されている記録画像データを読み出す。そして、画像処理部３１により、表示制御パラメータの中のγ特性、コントラスト値及びブライトネス値に基づいて記録画像データの画像処理を行い、画像処理後の記録画像データを表示用画像データとしてＶＲＡＭ３２に格納する。次に、ＣＰＵ１０は、表示制御部２２により表示制御パラメータ（γ特性、コントラスト値、ブライトネス値及びバックライトの輝度）に基づいてＬＣＤ表示部２０の表示特性を調整し、ＶＲＡＭ３２に格納されている表示用画像データに基づく画像をＬＣＤ表示部２０に表示する（ステップＳ９）。
【００１６】
次に、ＣＰＵ１０は、電子カメラ２が移動したか否かを判定する（ステップＳ１０）。例えば、角加速度センサ３３を用いて、撮像素子１６が一時的にオンされた時から所定の閾値を超える角加速度を検出したか否かを判定することにより、電子カメラ２の位置が移動したか否かの判定を行う。ここで、所定の閾値については操作者が任意に設定することができる。また、角加速度センサ３３は、本実施の形態のように鏡筒部１２内の一部のレンズ及び撮像素子１６を用いた手振れ防止を行う際に使用される角加速度センサを利用してもよく、それ以外の角加速度センサを使用してもよい。
【００１７】
ＣＰＵ１０は、角加速度センサ３３の検出値に基づいて電子カメラ２が移動していないと判定した場合（ステップＳ１０：Ｎｏ）、ＬＣＤ表示部２０に表示されている静止画像を変更する指示が行われたか否かを判定する（ステップＳ１２）。例えば、操作者により送りボタンが操作された場合には（ステップＳ１２：Ｙｅｓ）、ＣＰＵ１０は、メモリカード２６に記憶されている次の画像に対応する記録画像データを読み出し、画像処理部３１において、決定した表示制御パラメータの中のγ特性、コントラスト値及びブライトネス値に基づいて画像処理を行う。そして、画像処理後の記録画像データを表示用画像データとしてＶＲＡＭ３２に格納し、ＬＣＤ表示部２０に表示する（ステップＳ９）。一方、画像を変更する指示が行われなかった場合には（ステップＳ１２：Ｎｏ）、ステップＳ１３に進む。
【００１８】
ＣＰＵ１０は、電子カメラ２が移動したと判定した場合（ステップＳ１０：Ｙｅｓ）、ＬＣＤ表示部２０に表示されている静止画像を変更する指示が行われたか否かを判定する（ステップＳ１１）。画像を変更する指示が行われた場合（ステップＳ１１：Ｙｅｓ）、ＣＰＵ１０は、再びステップＳ２〜ステップＳ８の処理を繰り返した後、メモリカード２６から次の画像に対応する記録画像データを読み出し、新たに決定した表示制御パラメータの中のγ特性、コントラスト値及びブライトネス値に基づいて画像処理を行い、表示用画像データとしてＶＲＡＭ３２に格納する。次に、ＣＰＵ１０は、新たに決定した表示制御パラメータ（γ特性、コントラスト値、ブライトネス値及びバックライトの輝度）に基づいてＬＣＤ表示部２０の表示特性を調整し、ＶＲＡＭ３２に格納されている表示用画像データに基づく画像をＬＣＤ表示部２０に表示する（ステップＳ９）。
【００１９】
一方、画像を変更する指示が行われなかった場合は（ステップＳ１１：Ｎｏ）、終了ボタンが操作されたか否かを判定する（ステップＳ１３）。終了ボタンが操作された場合には、再生モードに係る一連の操作を終了し、終了ボタンが操作されなかった場合には、再びステップＳ１０〜ステップＳ１２の処理を繰り返す。
【００２０】
第１の実施の形態に係る電子カメラ２によれば、鑑賞環境に合わせてＬＣＤ表示部２０の表示を制御するための表示制御パラメータを決定することができる。このため、ＬＣＤ表示部２０に表示された画像を鑑賞者が違和感なく鑑賞することができる。また、撮像素子１６を利用して鑑賞環境情報を判定するため、従来再生モードにおいて使用することのなかった撮像素子を有効に活用することができる。また、ＬＣＤ表示部２０に静止画像が表示されている際に電子カメラ２が移動した場合には、次の画像を表示する際に再度表示制御パラメータが決定される。これにより、画像ごとに最適な表示制御パラメータを決定することができる。また、静止画像表示中にＬＣＤ表示部２０の表示制御パラメータが変更されることがないため、鑑賞者は違和感なくＬＣＤ表示部２０に表示される画像を観賞することができる。
【００２１】
次に、図面を参照して第２の実施の形態に係る電子カメラについて説明する。なお、第２の実施の形態に係る電子カメラは、決定した表示制御パラメータを外部の表示装置であるテレビに対して送信するものである。ここで、電子カメラとテレビは一つの電子カメラシステムを構成しているため、テレビは、電子カメラにより決定された表示制御パラメータに基づいて画像処理やＬＣＤパネルの制御を行うことができる。従って、第１の実施の形態と同様の構成についての詳細な説明は省略し、異なる部分のみについて説明する。また、第１の実施の形態と同一の構成には同一の符号を付して説明する。
【００２２】
図５は、第２の実施の形態に係る外部の表示装置であるテレビのシステム構成を示すブロック図である。テレビ５０はＬＳＩプロセッサ５２を備え、ＬＳＩプロセッサ５２はＣＰＵ５４、ＤＴＶ（デジタルテレビ）プロセッサ５６、音声処理部５８、画像処理部６０を備えている。また、ＣＰＵ５４にはＤＴＶプロセッサ５６が接続され、ＤＴＶプロセッサ５６には音声処理部５８、画像処理部６０が接続されている。
【００２３】
また、ＣＰＵ５４には、電子カメラ２から画像データ、音声データ、鑑賞環境情報、表示制御パラメータの受信を行う通信部６２、鑑賞環境情報から表示制御パラメータを判定する際に用いるテーブル等を記憶するＲＯＭ６８、受信した鑑賞環境情報や表示制御パラメータを記憶するＲＡＭ７０、表示用の画像データを格納するＶＲＡＭ７１が接続されている。
【００２４】
チューナ７２により、図示しないアンテナを介して放送信号を受信すると、復調器７４により放送信号を復調する。復調された放送信号はＤＴＶプロセッサ５６に入力される。ＤＴＶプロセッサ５６は、放送信号のうち、音声信号を音声処理部５８に対して出力し、画像信号を画像処理部６０に対して出力する。
【００２５】
ＣＰＵ５４は、受信したデータのうち、音声データ及び画像データをＤＴＶプロセッサ５６に出力する。ＤＴＶプロセッサ５６は、音声データを音声処理部５８に対して出力し、画像データを画像処理部６０に対して出力する。
【００２６】
音声処理部５８は音声データに対する処理を行い、音声出力制御部７７の制御によりスピーカ７８から音声データに基づく音声を出力する。また、画像処理部６０は、画像データに対して画像処理を行い、画像をＬＣＤ制御部８４によりＬＣＤパネル８６に表示する。例えば、ＣＰＵ５４は、通信部６２を介して、電子カメラ２から表示制御パラメータを受信した場合、受信した表示制御パラメータを一旦ＲＡＭ７０に記憶する。次に、ＣＰＵ５４は、表示制御パラメータをＲＡＭ７０から読み出して、第１の実施の形態におけるステップＳ９と同様に、画像処理部６０により、表示制御パラメータの中のγ特性、コントラスト値及びブライトネス値に基づいて画像データの画像処理を行い、画像処理後の記録画像データを表示用画像データとしてＶＲＡＭ７１に格納する。次に、ＣＰＵ５４は、ＬＣＤ制御部８４により表示制御パラメータ（γ特性、コントラスト値、ブライトネス値及びバックライトの輝度）に基づいてＬＣＤパネル８６の表示特性を調整し、ＶＲＡＭ７１に格納されている表示用画像データに基づく画像をＬＣＤパネル８６に表示する。
【００２７】
また、ＣＰＵ５４は、通信部６２を介して、電子カメラ２から記録画像データと共に表示制御パラメータを受信した場合、受信した記録画像データ及び表示制御パラメータを一旦ＲＡＭ７０に記憶する。次に、ＣＰＵ５４は、記録画像データ及び表示制御パラメータをＲＡＭ７０から読み出して、第１の実施の形態におけるステップＳ９と同様に、画像処理部６０により、表示制御パラメータの中のγ特性、コントラスト値及びブライトネス値に基づいて記録画像データの画像処理を行い、画像処理後の記録画像データを表示用画像データとしてＶＲＡＭ７１に格納する。次に、ＣＰＵ５４は、ＬＣＤ制御部８４により表示制御パラメータ（γ特性、コントラスト値、ブライトネス値及びバックライトの輝度）に基づいてＬＣＤパネル８６の表示特性を調整し、ＶＲＡＭ７１に格納されている表示用画像データに基づく画像をＬＣＤパネル８６に表示する。
【００２８】
また、ＣＰＵ５４は、記録画像データと共に鑑賞環境情報を受信した場合、受信した記録画像データ及び鑑賞環境情報を一旦ＲＡＭ７０に記憶する。次に、ＣＰＵ５４は、ＲＡＭ７０から鑑賞環境情報を読み出し、また、図４に示す、鑑賞環境情報と表示制御パラメータとを対応づけたテーブルをＲＯＭ６８から読み出して、第１の実施の形態におけるステップＳ６と同様に、このテーブルを用いて表示制御パラメータを決定する。次に、ＣＰＵ５４は、記録画像データをＲＡＭ７０から読み出し、第１の実施の形態におけるステップＳ９と同様に、画像処理部６０により、表示制御パラメータの中のγ特性、コントラスト値及びブライトネス値に基づいて記録画像データの画像処理を行い、画像処理後の記録画像データを表示用画像データとしてＶＲＡＭ７１に格納する。次に、ＣＰＵ５４は、ＬＣＤ制御部８４により表示制御パラメータ（γ特性、コントラスト値、ブライトネス値及びバックライトの輝度）に基づいてＬＣＤパネル８６の表示特性を調整し、ＶＲＡＭ７１に格納されている表示用画像データに基づく画像をＬＣＤパネル８６に表示する。
【００２９】
第２の実施の形態に係る電子カメラによれば、鑑賞環境に合わせて外部の表示装置であるテレビ５０のＬＣＤパネル８６の表示を制御するための表示制御パラメータを決定することができる。また、鑑賞者は、大きな画面で違和感なく画像を鑑賞することができる。
【００３０】
なお、上述の実施の形態においては、電子カメラ２が移動したか否かの判定を行う際に角加速度センサ３３を使用しているが、ＧＰＳ３４を用いて電子カメラ２が移動したか否かを判定するようにしてもよい。また、角加速度センサ３３に代えて加速度センサや角速度センサを用いてもよい。これにより、加速度センサを用いて所定の閾値以上の加速度を検出した場合や、角速度センサを用いて所定の閾値以上の角速度を検出した場合においても、電子カメラ２が移動したと判定をすることができる。
【００３１】
また、上述の実施の形態においては、撮像素子１６により撮像した撮像データに基づいて鑑賞環境の光源の色温度及び照度を計測しているが、撮像素子１６以外のセンサにより鑑賞環境の光源の色温度や照度を計測し、色温度データや照度データを取得するようにしてもよい。例えば、照度センサにより照度を計測し、照度データを取得してもよい。また、色温度センサにより色温度を計測し、色温度データを取得してもよい。なお、照度センサ及び色温度センサは、ＬＣＤ表示部２０の近傍に配置することが好ましい。
【００３２】
また、第１の実施の形態においては、ＬＣＤ表示部２０に静止画を再生する場合を例に説明しているが、ＬＣＤ表示部２０において動画再生時、または撮影前のスルー画表示時、撮影後の確認画像表示時に表示制御パラメータを再度決定し、この表示制御パラメータに基づいて画像処理及びＬＣＤ表示部２０の表示を行うようにしてもよい。
【００３３】
また、上述の実施の形態においては、電子カメラ２が移動し、かつ画像を変更する指示が行われた場合に表示制御パラメータを再度決定しているが、電子カメラ２の移動、及び画像の変更指示のいずれかが行われた場合に表示制御パラメータを再度決定してもよい。
【００３４】
また、上述の実施の形態においては、色温度及び照度に基づいて鑑賞環境情報を判定し、鑑賞環境情報に基づいて表示制御パラメータを決定しているが、色温度や照度に基づいて他のパラメータを決定するようにしてもよい。例えば、電子カメラ２に音声等を出力するスピーカを備え、色温度や照度に基づいてスピーカから出力する音声の音圧レベルや周波数等のパラメータを決定するようにしてもよい。この場合、ＬＣＤ表示部２０に動画を再生する場合において、ＣＰＵ１０により、計測した照度の値が大きいと判定された場合、または計測した色温度が高いと判定された場合にはスピーカから出力する音声の音圧レベルや周波数等を大きくする。また、ＣＰＵ１０により計測した照度の値が小さいと判定された場合、または計測した色温度が低いと判定された場合には、ＣＰＵ１０は、スピーカから出力する音声の音圧レベルや周波数等を小さくするようにしてもよい。
【００３５】
また、電子カメラ２に音声等を取得するためのマイクを備え、例えば、色温度や照度に基づいてマイクの入力感度等のパラメータを決定するようにしてもよい。この場合において、ＣＰＵ１０により、計測した照度の値が大きいと判定された場合、または計測した色温度が高いと判定された場合、ＣＰＵ１０は、マイクの入力感度を高く設定し、ＣＰＵ１０により、計測した照度の値が小さいと判定された場合、または計測した色温度が低いと判定された場合、ＣＰＵ１０の指示によりマイクの入力感度を小さく設定するようにしてもよい。
【００３６】
また、上述の実施の形態において、電子カメラ２に表示制御パラメータの再決定を有効にするか無効にするかを選択する選択部を設けてもよい。この場合、表示制御パラメータの再決定を無効にする選択がなされた場合には、ＣＰＵ１０は、画像処理部３１に予め設定されている所定の表示制御パラメータに基づいて画像処理を行わせ、表示制御部２２に予め設定されている所定の表示制御パラメータに基づいてＬＣＤ表示部２０の表示制御を行わせるようにしてもよい。
【００３７】
また、上述の実施の形態においては、ＣＰＵ１０は、電子カメラ２の移動を検出した場合には、鑑賞環境情報を再度判定して、再度表示制御パラメータの決定を行っているが、再度判定した鑑賞環境情報を前回判定した鑑賞環境情報と比較して、所定値以上の差がある場合にのみ表示制御パラメータの再決定を行うようにしてもよい。
【００３８】
また、第２の実施の形態においては、外部の表示装置としてテレビを用いる場合を例に説明しているが、外部の表示装置が電子カメラと一つのシステムを構成しており、表示装置が電子カメラにより決定された表示制御パラメータに基づいて画像処理や表示部の制御を行うことができれば、デジタルフォトフレーム等のテレビ以外の表示装置を用いてもよい。
【符号の説明】
【００３９】
２…電子カメラ、１０…ＣＰＵ、１６…撮像素子、１８…操作部、２０…ＬＣＤ表示部、２２…表示制御部、２４…記憶部、２６…メモリカード、３０…プログラムメモリ、３１…画像処理部、３２…ＶＲＡＭ、３３…角加速度センサ、３４…ＧＰＳ、５０…テレビ
【図１】
2013026760.tif 000003
【図２】
2013026760.tif 000004
【図３】
2013026760.tif 000005
【図４】
2013026760.tif 000006
【図５】
2013026760.tif 000007